(57)【特許請求の範囲】
【請求項１】
一方の柱に着脱自在に固定される第1受けと、他方の柱に着脱自在に固定される第2受けとを備える鉄骨柱の鉛直度調整用治具において、
前記第1受けは、柱に接する面に垂直な2つの側面にそれぞれ取り付けられた対向する2つの固定板で固定された下部受けと上部受けとを備え、かつ前記下部受けを介して前記一方の柱に着脱自在に固定され、
前記第2受けは、前記下部受けと前記上部受けとの間に、鉛直方向にスライド可能に設置され、
前記2つの固定板には、それぞれ前記第2受けを鉛直方向にスライドさせるためのスライド手段が設けられ、
前記スライド手段は、前記2つの固定板のそれぞれに形成された溝であり、
前記第2受けは、柱に接する面に垂直な2つの側面にそれぞれ突起を備え、前記突起が前記溝に嵌め込まれて鉛直方向に移動することにより鉛直方向にスライド可能になっている、鉛直度調整用治具。
【請求項２】
前記第1受けおよび前記第2受けは、柱の継ぎ手のボルト穴に着脱自在に固定される、請求項1に記載の鉛直度調整用治具。
【請求項３】
前記第1受けおよび前記第2受けを柱に取り付けるためのボルトの基端側の軸の直径が、先端部よりも太い、請求項1〜2のいずれか1項に記載の鉛直度調整用治具。
【発明の詳細な説明】
【技術分野】
【０００１】
本発明は、鉄骨の下部柱に上部柱を連結固定する場合などに、両柱の鉛直度を調整するための治具に関する。
【背景技術】
【０００２】
上部柱を下部柱に連結固定する際に、両柱の鉛直度等を調整する方法として、従来の柱鉛直精度調整用ジャッキ機材などを用いた工法では、機械取付用の専用鋼板（たとえば、スプライスプレート）を柱上部および下部に溶接し、鉛直度調整を行うことで、柱の傾き等の鉛直度あるいは上下方向の調整を行っている（特許文献1）。
【０００３】
したがって、従来の鉛直度調整用冶具は、柱に治具取り付け用の特殊なスプライスプレートを溶接する必要があり、また、鉛直度調整後には、そのスプライスプレートを取り外す必要がある。このため、建設工期が長期化するため人件費が向上し、また、建築資材費も高額になる。
【０００４】
また、従来の鉛直度調整用治具は、ジャッキを用いて、一方向に力を加えることによって、柱の鉛直度を調整する。このため、図6に示すように、丸柱の場合、鉛直度調整用治具200を約90度毎に4カ所または約60度毎に6カ所に設置する必要がある。また、角形鋼管柱（コラム）の場合、各面に1つまたは2つの鉛直度調整用治具200、合計4つまたは8つの鉛直度調整用治具200を設置する必要がある。また、H柱の場合には、6つの鉛直度調整用治具200を設置する必要があり、クロスH柱の場合には、5つの鉛直度調整用治具200を設置する必要がある。
【０００５】
これらの課題を解決するため、特許文献2には、一方の柱に着脱自在に固定される第1受け110と、他方の柱に着脱自在に固定される第2受け150とを有する鉄骨柱の鉛直度調整用治具100が記載されている（図7および図8参照）。第1受け110は、両端に下部受け114および上部受け112を有する。第2受け150は、第1受け110の下部受け114と上部受け112の間に設置され、略中央に可動受け152を有する。この鉛直度調整用治具100では、第1受け110の上部受け112と可動受け152との間にジャッキ設置自在の上部空間および第１受け110の下部受け114と可動受け152との間にジャッキ設置自在の下部空間が形成され、ジャッキ300を上部空間または下部空間に設置し操作することで、鉛直度調整する。
【０００６】
特許文献2に記載の鉛直度調整用治具では、図8に示すようにジャッキ300を上部空間に設置して操作した場合、ジャッキ300は、第1受け110の上部受け112および第2受け150の可動受け152を押圧する。ここで、第1受け110は下部柱に固定されているため、第2受け150が固定されている上部柱に下向きの力が加わり、上部柱が下方向に移動する。
【０００７】
一方、図7に示すようにジャッキ300を下部空間に設置して操作した場合、ジャッキ300は、第1受け110の下部受け114および第2受け150の可動受け152を押圧する。その結果、第2受け150が固定されている上部柱に上向きの力が加わり、上部柱が上方向に移動する。
【０００８】
このように、特許文献2に記載の鉛直度調整用治具は、上向きおよび下向きの2方向からの鉛直度調整が可能である。このため、この鉛直度調整用治具であれば、柱のX軸方向およびY軸方向の2つの面に設置することにより、鉛直度調整することができる。そのため、治具の取り付けおよび取り外しの時間を短縮でき、作業効率を向上できるとともに、コストを抑えることができる。
【０００９】
また、特許文献2に記載の鉛直度調整用治具では、図7および図8に示した2つの図のように、第2受け150の上下の向きを変えることによって、第1受け110の下部受け114を固定するボルト170と第2受け150を固定するボルト170との間の距離を変更し、取り付ける柱の形状に合わせることができる。
【００１０】
しかし、特許文献2に記載の鉛直度調整用治具では、第1受け110のたとえば図7に示示した配置で使用する場合、ジャッキ300が第1受け110の下部受け114および第2受け150の可動受け152を押圧する際に、下部受け114および可動受け152がぐらつきやすいという問題がある。たとえば、下部受け114および可動受け152は、水平に力が加わって上下することが理想であるが、片側が偏って移動されやすい。第1受け110の下部受け114は、一辺のみが第1受け110の縦方向部材に固定されているだけであり、固定されていない側が開きやすい。また、下部受け114は、柱に固定されているだけであり、固定されていない側が開きやすい。したがって、柱に対向する側が偏って移動されやすい。このため、ジャッキ300が下部受け114および可動受け152から外れやすいという問題がある。
【先行技術文献】
【特許文献】
【００１１】
【特許文献１】特開2004‐68382号公報
【特許文献２】特開2012-225053号公報
【発明の概要】
【発明が解決しようとする課題】
【００１２】
本発明は、取り付けおよび取り外しが容易であり、かつ鉛直度調整をより安定して行うことができる鉛直度調整用治具を提供することを目的とする。また、本発明は、治具を安定して固定および作動させることができる鉛直度調整用治具を提供することを目的とする。
【課題を解決するための手段】
【００１３】
上記の課題を解決するために、本発明は、一方の柱に着脱自在に固定される第1受けと、他方の柱に着脱自在に固定される第2受けとを備える鉄骨柱の鉛直度調整用治具において、第1受けは、柱に接する面に垂直な2つの側面にそれぞれ取り付けられた対向する2つの固定板で固定された下部受けと上部受けとを備え、かつ下部受けを介して一方の柱に着脱自在に固定され、第2受けは、下部受けと上部受けとの間に、鉛直方向にスライド可能に設置される、鉛直度調整用治具を提供する。
【００１４】
また本発明は、上記鉛直度調整用治具において、2つの固定板には、それぞれ第2受けを鉛直方向にスライドさせるためのスライド手段が設けられている鉛直度調整用治具を提供する。
【００１５】
また本発明は、上記鉛直度調整用治具において、スライド手段は、2つの固定板のそれぞれに形成された溝であり、第2受けは、柱に接する面に垂直な2つの側面にそれぞれ突起を備え、突起が溝に嵌め込まれて鉛直方向に移動することにより鉛直方向にスライド可能になっている、鉛直度調整用治具を提供する。
【００１６】
また本発明は、上記鉛直度調整用治具において、第1受けおよび第2受けは、柱の継ぎ手のボルト穴に着脱自在に固定される、鉛直度調整用治具を提供する。
【００１７】
また本発明は、上記鉛直度調整用治具において、第1受けおよび第2受けを柱に取り付けるためのボルトの基端側の軸の直径が、先端部よりも太い、鉛直度調整用治具を提供する。
【発明の効果】
【００１８】
本発明の鉛直度調整用治具は、第1受けの下部受けと上部受けとが、柱に接する面に垂直な2つの側面にそれぞれ取り付けられた対向する2つの固定板で固定されており、鉛直度調整をより安定して行うことができる。また、本発明の鉛直度調整用治具は、上向きおよび下向きの2方向の鉛直度調整が可能であるため、柱の四方に設置する必要がなく、少なくともX軸方向およびY軸方向の2つの面に設置することにより、他方の柱の鉛直度を調整することができる。そのため、治具の取り付けおよび取り外しの時間を短縮でき、作業効率を向上できるとともに、コストを抑えることができる。
【図面の簡単な説明】
【００１９】
【図１】本発明の鉛直度調整用治具の一実施形態を示す図。
【図２】本発明の鉛直度調整用治具の一実施形態を示す図。
【図３】第1受けの下部受けおよび上部受けならびに第2受けを組み立てるための部品図の一例を示す図。
【図４】固定板を組み立てるための部品図の一例を示す図。
【図５】本発明の一実施形態における鉛直度調整用治具の組立図。
【図６】従来の鉛直度調整用治具の設置例を示す図。
【図７】従来の鉛直度調整用治具の一例を示す図。
【図８】従来の鉛直度調整用治具の一例を示す図。
【発明を実施するための形態】
【００２０】
本発明の鉛直度調整用治具は、鉄骨の一方の柱に他方の柱を連結固定する場合などに、他方の柱の鉛直度等を調整するための治具である。
【００２１】
本発明の鉛直度調整用治具は、一方の柱に着脱自在に固定される第1受け11と、他方の柱に着脱自在に固定される第2受け21とを備える。第1受け11は、下部受け12と上部受け13とを備える。下部受け12と上部受け13とは、柱に固定される面に垂直な2つの側面にそれぞれ取り付けられた対向する2つの固定板31および32で固定される。本発明では、下部受け12と上部受け13とが対向する2つの固定板で固定されることにより、鉛直度調整をより安定して行うことができる。特に、ジャッキ40の上下の各受け21および12（または13）の傾きを減少させることができる。
【００２２】
第1受け11は、下部受け12を介して一方の柱に着脱自在に固定される。第1受け11および第2受け21は、それぞれ任意の方法によって一方の柱または他方の柱に着脱自在に固定されることができる。たとえば、ボルトで固定する方法および柱に溶接する方法などを用いることができる。ボルトで固定する場合には、柱継手面の他方の柱と一方の柱に元々形成されているボルト穴を介して連結することができるため、工期を短縮でき、また資材コストを削減することが可能になる。
【００２３】
第2受け21は、下部受け12と上部受け13との間に、鉛直方向にスライド可能に設置される。第2受け21は、特に限定されず、任意の方法により鉛直方向にスライド可能に設置されることができる。たとえば、2つの固定板31および32に、それぞれ第2受け21を鉛直方向にスライドさせるためのスライド手段が設けられてもよい。スライド手段は、たとえば溝およびレールなどでもよい。たとえば、第2受け21は、柱に接する面に垂直な2つの側面にそれぞれ突起22および23を備え、これらの突起22および23が両側の固定板31および32の溝およびレール等に嵌め込まれて鉛直方向に移動することにより鉛直方向にスライド可能になっていてもよい。
【００２４】
第1受けの上部受け13と第2受け21との間には、ジャッキ設置自在の上部空間が形成される。また、第1受けの下部受け12と第2受け21との間には、ジャッキ設置自在の下部空間が形成される。これにより、ジャッキを上部空間または下部空間に設置し操作することで、両柱の鉛直度を調整することができる。
【００２５】
本発明の鉛直度調整用治具について、図面を参照して以下に詳細に説明する。
【００２６】
図1および図2は、本発明の鉛直度調整用治具の一実施形態を示す。図1および図2に示す鉛直度調整用治具10は、一方の柱に着脱自在に固定される第1受け11と、他方の柱に着脱自在に固定される第2受け21とを備える。
【００２７】
第1受け11は、下部受け12と上部受け13とを備える。下部受け12と上部受け13とは、柱に接する面に垂直でかつ鉛直方向の2つの側面にそれぞれ取り付けられた対向する2つの固定板31、32で固定される。下部受け12は、一方の柱に設けられたボルト穴51にボルトで固定されることにより、一方の柱に着脱自在に固定される。下部受け12および上部受け13を組み立てるための部品図の一例を図3に示す。下部受け12は、水平方向に設置される板15と、鉛直方向に設置される板16とを備える。板15と板16とは直角に接続される。下部受け12の板15は、ジャッキから力を受ける面を構成する。下部受け12の板16には、一方の柱にボルトで固定するためのボルト穴14が形成される。
【００２８】
固定板31、32には、鉛直方向に伸びた溝33、34がそれぞれ形成されている。この溝33、34は、第2受け21を鉛直方向にスライドさせるための穴である。固定板31、32を組み立てるための部品図の一例を図4に示す。
【００２９】
第2受け21は、下部受け12と上部受け13との間に、鉛直方向にスライド可能に設置される。第2受け21は、柱に接する面に垂直でかつ鉛直方向の2つの側面に、それぞれ突起22、23を備えており、この突起22、23が固定板31、32に形成された溝33、34に嵌め込まれる。第2受け21は、この突起22、23が溝33、34に沿って鉛直方向に移動することにより、鉛直方向にスライドすることができる。第2受け21は、他方の柱に設けられたボルト穴52にボルトで固定されることにより、他方の柱に着脱自在に固定される。第2受け21を組み立てるための部品図の一例を図3に示す。第2受け21は、水平方向に設置される板25と、鉛直方向に設置される板26とを備える。板25と板26とは直角に接続される。第2受け21の板25は、ジャッキから力を受ける面を構成する。第2受け21の板26には、他方の柱にボルトで固定するためのボルト穴24が形成される。
【００３０】
鉛直度調整用治具10の組立図を図5に示す。図5の上部は、鉛直度調整用治具10を、柱に固定される面に垂直な側面側から見た図を示す。図5の下部は、鉛直度調整用治具10を、柱に固定される面側から見た図を示す。下部受け12および第2受け21は、それぞれボルト穴14、24を通してボルトによって柱に固定される。
【００３１】
鉛直度調整用治具10では、第1受け11の上部受け13と第2受け21との間にジャッキ設置自在の上部空間が形成されている。また、第１受け11の下部受け12と第2受け21との間にジャッキ設置自在の下部空間が形成されている。これにより、ジャッキ40を上部空間または下部空間に設置し操作することで、上部柱の鉛直度を調整することができる。
【００３２】
具体的には、ジャッキ40を上部空間に設置して操作した場合、ジャッキ40は、第1受け11の上部受け13および第2受け21を押圧する。ここで、第1受け11は下部柱に固定されているため、第2受け21が固定されている上部柱に下向きの力が加わり、上部柱が下方向に移動する。一方、ジャッキ40を下部空間に設置して操作した場合、ジャッキ40は、第1受け11の下部受け12および第2受け21を押圧する。第1受け11は下部柱に固定されているため、第2受け21が固定されている上部柱に上向きの力が加わり、上部柱が上方向に移動する。また、鉛直度調整用治具10は、図1および図2に示した設置向きと逆向きに柱に固定することもできる。すなわち、図1および図2では、下部受け12が下にあり、かつ上部受け13が上にあるが、下部受け12を上に、かつ上部受け13を下になるように取り付けることができる。この場合も同様に柱の鉛直度を調整することができる。
【００３３】
このように、本実施形態の鉛直度調整用治具は、上向きおよび下向きの2方向の鉛直度調整が可能である。本実施形態の鉛直度調整用治具であれば、柱の四方に設置する必要がなく、少なくともX軸方向およびY軸方向の2つの面に設置することにより、両柱の鉛直度を調整することができる。そのため、治具の取り付けおよび取り外しの時間を短縮でき、作業効率を向上できるとともに、コストを抑えることができる。
【００３４】
本実施形態の鉛直度調整用治具は、図1および図2に示したように、第2受け21の上下の向きを変えることによって、第1受け11の下部受け12を柱に固定するためのボルトと第2受け21を柱に固定するためのボルトとの間の距離（図1および図2において「d」で示す）を変更することができる。これにより、取り付ける柱に形成されたボルト穴の位置に合わせることができ、多様な形状の柱に適応させることができる。
【００３５】
第1受け11および第2受け21を柱に固定するボルトは、少なくとも基端側の軸の直径、すなわちボルトの頭部近傍の軸の直径が、他方の柱および一方の柱に形成されたボルト穴の直径と同じであってもよい。ボルトの基端側の軸の直径が他方の柱および一方の柱のボルト穴の直径と同じであれば、鉛直度調整用治具10の第2受け21の動きに連動して他方の柱を安定して動かすことができる。ボルトの軸の直径は、基端から先端まで同じ太さであってもよいし、基端側が先端部よりも太く形成されていてもよい。ボルトの基端側の軸の直径が、先端部の直径より太く形成されていれば、他方の柱の鉛直度の調整がボルトの先端部の動きによって妨げられることを防ぐことができる。
【００３６】
また、本実施形態の鉛直度調整用治具であれば、Gレベルピンを柱継手面の上下一カ所に入れることにより、その部分のレベルを維持することで、入れられたGレベルピンと対抗した柱の面である90度方向および180度方向の2カ所のみで鉛直度調整が可能となり、作業効率を向上できる。
【産業上の利用可能性】
【００３７】
本発明は、鉄骨柱の鉛直度を調整するための治具に好適に利用可能である。
【符号の説明】
【００３８】
10・・・鉛直度調整用治具
11・・・第1受け
12・・・下部受け
13・・・上部受け
14・・・ボルト穴
21・・・第2受け
22、23・・・突起
24・・・ボルト穴
31、32・・・固定板
33、34・・・溝
40・・・ジャッキ
51、52・・・ボルト穴
【要約】
【課題】  取り付けおよび取り外しが容易であり、かつ鉛直度調整をより安定して行うことができる鉛直度調整用治具を提供する。
【解決手段】  本発明の鉛直度調整用治具10は、一方の柱に着脱自在に固定される第1受け11と、他方の柱に着脱自在に固定される第2受け21とを備え、第1受け11は、柱に接する面に垂直な2つの側面にそれぞれ取り付けられた対向する2つの固定板31、32で固定された下部受け12と上部受け13とを備え、かつ下部受け12を介して一方の柱に着脱自在に固定され、第2受け21は、下部受け12と上部受け13との間に、鉛直方向にスライド可能に設置される。
【選択図】      図1【図１】
0006035494.tif 000002
【図２】
0006035494.tif 000003
【図３】
0006035494.tif 000004
【図４】
0006035494.tif 000005
【図５】
0006035494.tif 000006
【図６】
0006035494.tif 000007
【図７】
0006035494.tif 000008
【図８】
0006035494.tif 000009